Podtech/llm-jp-corpus-v4-ja_patent huggingface dataset:
【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
中央線から放射状に外側に延在し、約０．４％から０．７％の間にある最大相対屈折率パーセント（Δ1,MAX）を持つ正の相対屈折率パーセント（Δ1％（ｒ））を有し、約３μｍから約６μｍの間の半径を有する中央領域と、
前記中央領域に隣接し且つこれを包囲し、約−０．１％から−０．３０％の間にある最小相対屈折率パーセント（Δ2,MIN）を持つ負の相対屈折率パーセント（Δ2％（ｒ））を有し、１．５μｍから４．５μｍの間の幅及び４μｍから６．５μｍの間の中間点を有する第１環状領域と、
前記第１環状領域に隣接し且つこれを包囲し、約０．１％から０．３％の間にある最大相対屈折率パーセント（Δ3,MAX）を持つ正の相対屈折率パーセント（Δ3％（ｒ））を有し、かかる半値幅が約３μｍから約９μｍの間であり、前記半値幅の中間点が７．５μｍから１０．５μｍの間である第２環状領域と、及び、
前記第２環状領域を囲み、相対屈折率パーセント（Δc％（ｒ））を有する外側環状領域と、を含む光導波路ファイバであって、
約１５５０ｎｍの波長で約６０μｍ2よりも小の実効面積と、約１５５０ｎｍの波長で約４ｐｓ／ｎｍ／ｋｍから約１０ｐｓ／ｎｍ／ｋｍの間の分散と、約１５５０ｎｍの波長で０．０４５ｐｓ／ｎｍ2／ｋｍよりも小の分散スロープと、及び、約１２６０ｎｍよりも小のケーブルカットオフ波長と、を有することを特徴とする光導波路ファイバ。
【請求項２】
約１３８３ｎｍの波長での減衰が約０．６ｄＢ／ｋｍよりも小であることを特徴とする請求項１記載の光導波路ファイバ。
【請求項３】
前記外側環状クラッド領域が前記第２環状領域に隣接し且つこれを包囲することを特徴とする請求項１又は２に記載の光導波路ファイバ。
【請求項４】
前記第２環状領域に隣接し且つこれを包囲し、前記第２環状領域と前記外側環状クラッド領域との間に配置され、最小屈折率パーセント（Δ4,MIN）を持つ負の相対屈折率パーセント（Δ4％（ｒ））を有する第３環状領域を更に含むことを特徴とする請求項１乃至３のいずれかに記載の光導波路ファイバ。
【請求項５】
前記第３環状領域が約１．５μｍから約７μｍの間の幅と、約１１μｍから約１８μｍの間の中間点と、を有することを特徴とする請求項４記載の光導波路ファイバ。
【手続補正書】
【提出日】平成16年4月8日(2004.4.8)
【手続補正１】
【補正対象書類名】特許請求の範囲
【補正対象項目名】全文
【補正方法】変更
【補正の内容】
【特許請求の範囲】
【請求項１】
少なくとも１つの電極を含むアッセイ用モジュールであって、前記電極が元素状炭素を含み、前記電極に固定化された少なくとも１つの生体物質を有し、前記生体物質が、膜タンパク質、脂質／タンパク質層、及び／又は膜脂質からなる群から選択される、アッセイ用モジュール。
【請求項２】
前記生体物質が、無傷の細胞、細胞溶解物、細胞膜断片、細胞膜、膜ゴースト、オルガネラ、オルガネラ膜断片、オルガネラ膜、ビリオン、ビリオン断片、ビリオン膜、リポソーム、溶剤可溶性タンパク質、溶剤可溶性脂質、又はこれらの組合せからなる群から選択される、請求項１に記載のアッセイ用モジュール。
【請求項３】
前記生体物質が、無傷の細胞、細胞膜、及び細胞膜断片からなる群から選択される、請求項１に記載のアッセイ用モジュール。
【請求項４】
前記電極がカーボンインクを含む、請求項１、２又は３に記載のアッセイ用モジュール。
【請求項５】
前記電極がスクリーン印刷されたカーボンインクを含む、請求項１、２、３又は４に記載のアッセイ用モジュール。
【請求項６】
前記生体物質が前記電極上に受動的に吸着している、請求項１、２、３、４又は５に記載のアッセイ用モジュール。
【請求項７】
前記生体物質が前記電極上で共有結合している、請求項１、２、３、４、５又は６に記載のアッセイ用モジュール。
【請求項８】
前記生体物質が乾燥状態である、前記請求項のいずれかに記載のアッセイ用モジュール。
【請求項９】
前記生体物質が、前記電極上に付着している結合相手との特異的結合反応によって固定化されている、請求項１から５まで又は８のいずれか一項に記載のアッセイ用モジュール。
【請求項１０】
前記結合相手が、第２の結合相手との第２の生体特異的相互作用によって前記電極に付着している、請求項９に記載のアッセイ用モジュール。
【請求項１１】
前記第２の生体特異的相互作用が、ビオチン−アビジン、ビオチン−ストレプトアビジン、及び抗体−ハプテンからなる群から選択される、請求項１０に記載のアッセイ用モジュール。
【請求項１２】
前記生体物質が、前記生体物質の成分とレクチンとの、前記レクチン表面での特異的結合相互反応によって、レクチン表面に固定化されている、請求項１、２、３、４又は５に記載のアッセイ用モジュール。
【請求項１３】
前記レクチン表面が、フィトヘマグルチニン、ヤマゴボウマイトジェン、コムギ胚凝集素、及びコンカナバリンＡからなる群から選択されるレクチンを含む、請求項１２に記載のアッセイ用モジュール。
【請求項１４】
受動的に吸着した少なくとも１つの生体物質を有する少なくとも１つの電極を含むアッセイ用モジュールであって、前記生体物質が、膜タンパク質、脂質／タンパク質層、及び／又は膜脂質からなる群から選択される、アッセイ用モジュール。
【請求項１５】
複数のパターン形成電極を含むアッセイ用モジュールであって、前記パターン形成電極が固定化された少なくとも１つの生体物質を有し、前記生体物質が、膜タンパク質、脂質／タンパク質層、及び／又は膜脂質からなる群から選択される、アッセイ用モジュール。
【請求項１６】
固定化されたヤマゴボウマイトジェンを有し、固定化された少なくとも１つの生体物質を有する表面を含むアッセイ用モジュールであって、前記生体物質が、膜タンパク質、脂質／タンパク質層、及び／又は膜脂質からなる群から選択される、アッセイ用モジュール。
【請求項１７】
電極誘導型発光のアッセイを行う際に使用するためのキットであって、１つ又は複数の容器中に、前記請求項のいずれかに記載のアッセイ用モジュール、並びに（ａ）少なくとも１つの発光標識、（ｂ）少なくとも１つの発光共反応体、（ｃ）１つ又は複数の結合試薬、（ｄ）ｐＨ緩衝液、（ｅ）１つ又は複数の遮断試薬、（ｆ）防腐剤、（ｇ）安定剤、（ｈ）酵素、（ｉ）洗剤、及び（ｊ）乾燥剤からなる群から選択される、少なくとも１つのアッセイ用要素を含むキット。
【請求項１８】
膜タンパク質、脂質／タンパク質層、及び／又は膜脂質から選択される生体物質の結合相互作用を測定する方法であって、
（ａ）請求項１から１６までのいずれか一項に記載の電極を、１つ又は複数の結合相手と接触させること、及び
（ｂ）電極誘導型発光を使用して、前記生体物質と前記１つ又は複数の結合相手の間の結合を測定すること
を含む方法。
【手続補正書】
【提出日】平成16年11月1日(2004.11.1)
【手続補正１】
【補正対象書類名】明細書
【補正対象項目名】０１３３
【補正方法】変更
【補正の内容】
【０１３３】
【図１】アミノ基(NH2末端)で官能性を持たせたオリゴヌクレオチドのグラフト化反応。
図1A：ガラス表面(シラノール Si-OH)。
図1B：メルカプトシランで官能性を持たせたガラス表面(SH末端)。
図1C：ヘテロ二官能性PEG(NHS-PEG-VS)のグラフト化反応。NHS末端は遊離型かつ反応性のままである。
図1D：アミノ基(NH2末端)で官能性を持たせたオリゴヌクレオチドの付着。
【配列表】
SEQUENCE LISTING
<110> Centre National de la Recherche Scientifique (CNRS)
Institut Curie
<120> Novel method for production of DNA biochips and applications 
thereof
<130> CR-A0421
<140> JP   2003-567847
<141> 2003-02-13
<150> FR   02/01 791
<151> 2002-02-13
<160> 6
<170> PatentIn version 3.3
<210> 1
<211> 50
<212> DNA
<213> Artificial Sequence
<220>
<223> Gene fragment from Mus musculus
<400> 1
gtgcctcacg gtggttgcca tcactgtctt catgttcgag tatttcagcc                50
<210> 2
<211> 50
<212> DNA
<213> Artificial Sequence
<220>
<223> Gene fragment from Mus musculus
<400> 2
ttttgagatc tggcttcatt tcgacgctga cggaagtggt tacctggaag                50
<210> 3
<211> 50
<212> DNA
<213> Artificial Sequence
<220>
<223> Gene fragment from Mus musculus
<400> 3
aacgcccatc ttaaaatcga cgcctgtctc tcccccattg ctcttaccag                50
<210> 4
<211> 50
<212> DNA
<213> Artificial Sequence
<220>
<223> Gene fragment from Mus musculus
<400> 4
ggctgaaata ctcgaacatg aagacagtga tggcaaccac cgtgaggcac                50
<210> 5
<211> 50
<212> DNA
<213> Artificial Sequence
<220>
<223> Gene fragment from Mus musculus
<400> 5
cttccaggta accacttccg tcagcgtcga aatgaagcca gatctcaaaa                50
<210> 6
<211> 50
<212> DNA
<213> Artificial Sequence
<220>
<223> Gene fragment from Mus musculus
<400> 6
ctggtaagag caatggggga gagacaggcg tcgattttaa gatgggcgtt                50
【手続補正書】
【提出日】平成16年10月21日(2004.10.21)
【手続補正１】
【補正対象書類名】特許請求の範囲
【補正対象項目名】請求項１
【補正方法】変更
【補正の内容】
【請求項１】
底面および側壁面を有するマイクロチャンネルをさらに含み、前記底面からの距離が少なくともその最上位に隣接した前記チャンネルの一部に沿って増すと、前記マイクロチャンネルの幅が減少し、前記幅の前記減少は前記コーティングによって実現されることを特徴とする、コーティングを有する基板を含む成分。
【手続補正書】
【提出日】平成16年10月22日(2004.10.22)
【手続補正１】
【補正対象書類名】明細書
【補正対象項目名】００６１
【補正方法】変更
【補正の内容】
【００６１】
図２４と２５において、光学要素がプリズムと組合され、システムの直線的な延長を制限している。図２５において、図１３に示すレンズ２２が凹面鏡２３によって置換されている。
【手続補正２】
【補正対象書類名】明細書
【補正対象項目名】００６７
【補正方法】変更
【補正の内容】
【００６７】
図３１は、屈折部材１２を有する直線変位決定用変位センサシステム７５を概略的に示し、屈折部材１２は、例えば図１に示すシリンドリカルレンズの光学機能に似た光学機能を有するシリンドリカル凹面鏡１８の直線アレイを備える。変位センサは、図３１に示す光学部材１２が光を反射し、図３に示す対応光学部材１２が光を屈折させるということを除けば、図３に示すセンサの動作に類似した動作を行う。
【手続補正３】
【補正対象書類名】明細書
【補正対象項目名】００７３
【補正方法】変更
【補正の内容】
【００７３】
図３７は、この発明の実施態様の基本的な検出器素子の形態８０を示す。図３８は検出器信号８２を表したものであり、図３９は検出信号のパワースペクトル８４を表したものである。スペクトル８４の低周波数部分８６と第２高調波８８とがきわめて重要であることに留意すべきである。低周波ノイズは、ゼロクロス検出に基づく速度決定において重大な誤りを導く概略の平均値の変化に至る。検出器の幅は、基本周波数の第３高調波の最適な抑制のために選択される。検出器素子は方形の形状を有すると仮定されるので、検出器関数のパワースペクトルは、サイン関数である。検出器出力信号のすべての第３高調波を除去するために、各検出器素子の幅は、入力平面を横切るスペックルによってくり返し掃引される幅に等しくなるように選択された検出器アレイの全幅の３分の１にほぼ等しくなるように選択される。図４０において、２つの釣り合った検出器素子９２，９４が示されている。それらの素子間の距離は１８０°の位相ずれに対応する。検出器素子からの出力信号は、信号の低周波数部分と基本周波数の偶数高調波周波数を抑制するために減算される。差の信号９６は図４１に示され、パワースペクトル９８は図４２に示される。低周波数部分８６と第２高調波８８の抑制は図３９に比較して明瞭に示されている。
【手続補正４】
【補正対象書類名】明細書
【補正対象項目名】００８４
【補正方法】変更
【補正の内容】
【００８４】
【図１】この発明による変位センサの好ましい実施態様を概略的に示す。
【図２】図１の変位センサの動作原理を示す。
【図３】この発明による変位センサの他の好ましい実施態様を概略的に示す。
【図４】図３の変位センサの動作原理を示す。
【図５】図１の変位センサにおける電磁波伝播を概略的に示す。
【図６】フレネルレンズアレイ付き変位センサを概略的に示す。
【図７】フィルム厚さにおけるサイン曲線変調を有する直線位相回折格子付き変位センサを概略的に示す。
【図８】プリズムアレイ付き変位センサを概略的に示す。
【図９】図８の変位センサの動作原理を示す。
【図１０】プリズムスタブのアレイ付き変位センサを概略的に示す。
【図１１】図１０の変位センサの動作原理を示す。
【図１２】レーザドプラー風力計のような実施態様の処理を示す。
【図１３】レーザドプラー風力計のような他の実施態様の処理を示す。
【図１４】粒子速度が測定される、粒子速度測定に適した実施態様を示す。
【図１５】図１２又は１３に示す実施態様からの検出器素子信号の図である。
【図１６】図１４に示す信号に対する位相遅れを有する変位光検出器素子からの信号の図である。
【図１７】図１４と１５に示す信号間の差の図である。
【図１８】この発明の実施態様の入力平面の定義を示す。
【図１９】この発明の他の実施態様の入力平面の定義を示す。
【図２０】この発明のさらに他の実施態様の入力平面の定義を示す。
【図２１】この発明による変位センサの光学要素の組合せを示す。
【図２２】この発明による変位センサの光学要素の他の組合せを示す。
【図２３】この発明によるプリズムアレイ付き変位センサの光学要素の組合せを示す。
【図２４】プリズムと組合せられた光学要素付きのこの発明による変位センサを概略的に示す。
【図２５】プリズムと組合せられた光学要素付きのこの発明による他の変位センサを概略的に示す。
【図２６】プリズムスタブの２次元アレイを概略的に示す。
【図２７】プリズムスタブによって屈折された波の、検出器平面への電磁波伝播を示す。
【図２８】この発明による直線変位センサシステムの動作を概略的に示す。
【図２９】この発明による他の直線変位センサシステムの動作を概略的に示す。
【図３０】この発明による回転変位測定用変位センサシステムの動作を概略的に示す。
【図３１】直線変位測定用のこの発明の反射形態を概略的に示す。
【図３２】回転変位測定用のこの発明の反射形態を概略的に示す。
【図３３】２次元回転変位測定用のこの発明の反射形態を概略的に示す。
【図３４】２次元直線変位測定用のこの発明の反射形態を概略的に示す。
【図３５】３つのレンズアレイを有する実施態様を概略的に示す。
【図３６】４つのレンズアレイを有する実施態様を概略的に示す。
【図３７】単一の検出器の形態を概略的に示す。
【図３８】図３７に示す検出器によって与えられる信号の図である。
【図３９】図３８に示す信号のパワースペクトル図である。
【図４０】他の検出器の形態を概略的に示す。
【図４１】図４０に示す検出器によって与えられる信号の図である。
【図４２】図４１に示す信号のパワースペクトルの図である。
【図４３】さらに他の検出器の形態を概略的に示す。
【図４４】図４３に示す検出器の形態によって与えられる信号の図である。
【図４５】図４４に示す信号の位相図である。
【図４６】さらに他の検出器の形態を概略的に示す。
【図４７】図４６に示す検出器によって与えられる信号の図である。
【図４８】図４７に示す信号の位相図を示す。
【図４９】この発明の小型化した実施態様を概略的示す。
【図５０】この発明の他の小型化した実施態様を概略的示す。
【図５１】共通の伝播および受光光学構成を有する実施態様を概略的に示す。
【図５２】図５１に示す実施態様の動作原理を概略的に示す。
【図５３】図５１に示す実施態様によって照明される対象物の表面における強度分布を示す。
【図５４】図５１に示す実施態様によるヒトの眼の（故意でない）照明を示す。
【手続補正書】
【提出日】平成16年10月29日(2004.10.29)
【手続補正１】
【補正対象書類名】特許請求の範囲
【補正対象項目名】全文
【補正方法】変更
【補正の内容】
【特許請求の範囲】
【請求項１】
出口開口部を起点として使用者が排尿する受尿領域を形成する裾広がりになった面と、この面の周囲を規定する縁と、を有する受尿部と；
一端が前記受尿部出口開口部に接続して該受尿部出口開口部から排尿された尿を受け、その他端が開放端であり、かつ、その側面に開口部を有する筒状部材と；
前記開口部に取り付けられ、該開口部と連通するようにその内部に所定の長さの流路を形成し、かつ、尿検体採取容器を着脱可能に取り付けられ、前記筒状部材内を流れる尿を前記尿検体採取容器に流入させる連結手段と；
前記筒状部材内で、前記開口部に位置し、又は、前記開口部に隣接して位置し、前記開口部を通過した尿を誘導するよう形成された尿流誘導部と；を備えたことを特徴とする尿検体採取器具。
【請求項２】
前記尿流誘導部は、前記筒状部材の長手方向軸に向けて突出した突出部からなる、請求項１記載の尿検体採取器具。
【請求項３】
前記開口部の上流に、前記突出部を備える請求項２記載の尿検体採取器具。
【請求項４】
前記開口部の下流にも、前記突出部を備える請求項３記載の尿検体採取器具。
【請求項５】
前記開口部の上流に位置する前記突出部が、前記筒状部材の前記側面に対して、傾斜面を有する請求項３又は４記載の尿検体採取器具。
【請求項６】
前記開口部の上流に位置する前記突出部は、前記開口部の上流縁に沿い、前記筒状部材の幅方向へ延在する壁部材である請求項３又は４記載の尿検体採取器具。
【請求項７】
前記尿流誘導部は、前記開口部を挟んだ両側の少なくともいずれか一方側に沿って尿を流す尿路を備える、請求項１から６記載のいずれか１項に記載の尿検体採取器具。
【請求項８】
前記突出部を、前記連結手段の一部を、前記筒状部材内において、当該筒状部材の前記長手方向軸に向けて突出させて構成し、該連結手段の突出端部から尿が、該連結手段内の前記流路を介して、前記尿検体採取容器へ流入可能とした請求項２記載の尿検体採取器具。
【請求項９】
前記連結手段の一部は、前記筒状部材の高さの２０％から６０％に相当する分前記筒状部材内へ延在する請求項８記載の尿検体採取器具。
【請求項１０】
前記連結手段は、複数の断面半円形状の流路からなり、前記筒状部材内で上流側に位置する流路より、下流側に位置する流路の方が、該前記筒状部材内により長く延在している請求項８又は９記載の尿検体採取器具。
【請求項１１】
前記流路のうち少なくとも一つの流路は、前記尿検体採取容器内の空気を前記筒状部材内へ排気するために用いられる請求項８から１０のいずれか１項に記載の尿検体採取器具。
【請求項１２】
前記尿検体採取容器内の空気を前記筒状部材内へ排気するために用いられる前記流路は、前記連結手段の内部に形成される前記流路の長さより長く前記筒状部材内へ延在している請求項１１記載の尿検体採取器具。
【請求項１３】
前記尿検体採取容器内の空気を前記筒状部材内へ排気するために用いられる前記流路の開口部は下流に面している請求項１１又は１２記載の尿検体採取器具。
【請求項１４】
前記尿検体採取容器内の空気を前記筒状部材内へ排気するために用いられる前記流路の前記開口部は、前記筒状部材の前記側面に対して下流に向いた傾斜面にある請求項１１から１３のいずれか１項に記載の尿検体採取器具。
【請求項１５】
前記開口部に隣接して、該開口部を覆うためのカバー部材を設けた請求項１１から１４のいずれか１項に記載の尿検体採取器具。
【請求項１６】
前記筒状部材は、前記開放端が先細りとなるような小さい断面となる請求項１から１５のいずれか１項に記載の尿検体採取器具。
【請求項１７】
前記尿検体採取容器へ流入する尿を制限する尿量制限部または尿量制限部を有する尿検体採取容器を備える請求項１から１６のいずれか１項に記載の尿検体採取器具。
【請求項１８】
前記尿量制限部は、設定上限値まで尿が容器内へ流入した後にさらなる尿の前記尿検体採取容器への流入を防止できる請求項１７記載の尿検体採取器具。
【請求項１９】
前記尿量制限部は、使用時の前記開口部および前記尿検体採取容器間に、前記尿検体採取容器内の尿が設定レベルに達すると閉鎖する、弁を備える請求項１７又は１８記載の尿
検体採取器具。
【請求項２０】
前記尿量制限部が弁を備え、尿が前記筒状部材から前記尿検体採取容器へ前記弁を通って流れ、前記弁は、尿が前記尿検体採取容器へと流入する場合に通る下部開口部と、尿が前記筒状部材から流入する場合に通る上部開口部と、前記上部開口部を閉鎖可能な寸法を有する前記上部開口部と前記下部開口部間に位置する閉鎖部材を備える請求項１７から１９のいずれか１項に記載の尿検体採取器具。
【請求項２１】
前記閉鎖部材は尿よりも低い密度である請求項２０記載の尿検体採取器具。
【請求項２２】
前記閉鎖部材が球体からなる請求項２０又は２１記載の尿検体採取器具。
【手続補正２】
【補正対象書類名】明細書
【補正対象項目名】００１０
【補正方法】変更
【補正の内容】
【００１０】
本発明による尿検体採取器具は、出口開口部を起点として使用者が排尿する受尿領域を形成する裾広がりになった面と、この面の周囲を規定する縁と、を有する受尿部と；一端が前記受尿部出口開口部に接続して該受尿部出口開口部から排尿された尿を受け、その他端が開放端であり、かつ、その側面に開口部を有する筒状部材と；前記開口部に取り付けられ、該開口部と連通するようにその内部に所定の長さの流路を形成し、かつ、尿検体採取容器を着脱可能に取り付けられ、前記筒状部材内を流れる尿を前記尿検体採取容器に流入させる連結手段と；前記筒状部材内で、前記開口部に位置し、又は、前記開口部に隣接して位置し、前記開口部を通過した尿を誘導するよう形成された尿流誘導部と；を備えることを特徴としている。
【手続補正３】
【補正対象書類名】明細書
【補正対象項目名】００１１
【補正方法】変更
【補正の内容】
【００１１】
前記尿流誘導部は、前記筒状部材の長手方向軸に向けて突出した突出部を有すると好ましい。
【手続補正４】
【補正対象書類名】明細書
【補正対象項目名】００１４
【補正方法】変更
【補正の内容】
【００１４】
前記開口部の上流に位置する前記突出部が、前記筒状部材の前記側面に対して、傾斜面を備えてもよい。
【手続補正５】
【補正対象書類名】明細書
【補正対象項目名】００１７
【補正方法】変更
【補正の内容】
【００１７】
前記突出部を、前記連結手段の一部を、前記筒状部材内において、当該筒状部材の前記長手方向軸に向けて突出させて構成し、該連結手段の突出端部から尿が、該連結手段内の前記流路を介して、前記尿検体採取容器へ流入可能としてもよい。
【手続補正６】
【補正対象書類名】明細書
【補正対象項目名】００２３
【補正方法】変更
【補正の内容】
【００２３】
前記尿検体採取容器内の空気を前記筒状部材内へ排気するために用いられる前記流路の前記開口部は、前記筒状部材の前記側面に対して下流に向く傾斜面にあると好ましい。
【手続補正７】
【補正対象書類名】明細書
【補正対象項目名】００２４
【補正方法】変更
【補正の内容】
【００２４】
前記開口部に隣接して、該開口部を覆うためのカバー部材を設けてもよい。
【手続補正書】
【提出日】平成16年5月21日(2004.5.21)
【手続補正１】
【補正対象書類名】明細書
【補正対象項目名】０００４
【補正方法】変更
【補正の内容】
【０００４】
このシステムには、データの基準組が生成されていて、それと信号振幅データとを比較して、それによって移動電話ハンドセットの位置の位置決めをしなければならないという不都合がある。さらに、実際のデータ組が局地的な不規則性、例えばデータの基準組に反映されていない気象条件によって影響されることがあげられる。  
ドイツ公開公報ＤＥ−Ａ１−２８４９  ２８２は、モバイル電話と基地局との間の距離を判断するのに適した、かつサイト（sight）信号のラインに頼るシステムを開示している。信号強度と距離は１／ｒ２パワー関数によって関連付けられている。
【手続補正２】
【補正対象書類名】明細書
【補正対象項目名】０００６
【補正方法】変更
【補正の内容】
【０００６】
この発明の一特徴によると、無線場内で無線周波数信号を放出している放出器の位置決めをするためのシステムであって、該システムは該無線場の環境内部で移動可能であり、かつ該環境内部の複数の位置からの該無線周波数信号の振幅と、該無線場内の受信機の位置とを検出して記録することが可能な受信機を備えており、該受信機はまた振幅データをコード化することができ、かつそのデータを該放出器の位置の予測を生成するために該受信機により生成された一連の予測データと比較することができるシステムが提供される。
【手続補正３】
【補正対象書類名】特許請求の範囲
【補正対象項目名】全文
【補正方法】変更
【補正の内容】
【特許請求の範囲】
【請求項１】
無線場（３）内で無線周波数信号（２）を放出している放出器（１）の位置決めをするためのシステムであって、該システムは、該無線場（３）の環境内部で移動可能であり、かつ該環境内部の複数の位置からの該無線周波数信号（２）の振幅と該無線場（３）内の受信機（４）の位置を検出して記録することが可能な受信機（４）を備えており、該受信機（４）はまた振幅データをコード化することができ、かつそのデータを該放出器（１）の位置の予測を生成するために該受信機（４）により生成された一連の予測データと比較することができる。
【請求項２】
請求項１記載の放出器（１）の位置決めをするためのシステムは、追加の受信機（４）をさらに含み、この受信機の各々は複数の位置からの無線周波数信号（２）の振幅を検出して記録することができる。
【請求項３】
請求項１または請求項２記載の放出器（１）の位置決めをするためのシステムにおいて、各受信機（４）はＧＮＳＳもしくはＧＰＳ受信機と単一素子アンテナとを備えている。
【請求項４】
請求項１ないし請求項３のいずれか１項記載の放出器（１）の位置決めをするためのシステムにおいて、各受信機（４）は該無線周波数信号（２）の振幅を連続して検出して記録することを該無線場（３）の環境内部で移動しながら行う。
【請求項５】
請求項１ないし請求項４のいずれか１項記載の放出器（１）の位置決めをするためのシステムにおいて、該データはパワー法則によりコード化される。
【請求項６】
請求項１ないし請求項５のいずれか１項記載のシステムにおいて、該コード化されたデータは無線場（３）を含んでいる環境を表わすデータを含んでいない。
【請求項７】
無線場内で無線周波数信号（２）を放出している放出器（１）の場所を位置決めする方法であって、該方法は、
（ａ）該無線場（３）内で受信機（４）を位置決めする段階と、
（ｂ）該受信機（４）位置で放出された信号の振幅を記録する段階と、
（ｃ）該受信機（４）位置を記録する段階と、
（ｄ）第二の位置で該受信機（４）の再位置決めをする段階と、
（ｅ）該第二の受信機（４）位置で放出された信号の振幅を記録する段階と、
（ｆ）該受信機（４）位置を記録する段階と、
（ｇ）必要に応じて段階（ａ）ないし段階（ｆ）を繰返す段階と、
（ｈ）上記段階（ａ）ないし段階（ｇ）で生成されたデータをコード化する段階と、
（ｉ）該コード化されたデータを該受信機（４）により予測されたデータと比較して、該放出器（１）の予測された位置を生成する段階、とを備えている。
【請求項８】
請求項７記載の方法は、
別の位置にある追加の受信機（４）を位置決めする段階と、
それぞれ別の位置にある放出器（１）により放出された無線周波数信号の振幅を記録する段階と、
該追加の受信機（４）の位置を記録する段階と、
該放出器（１）の予測された位置を生成するために比較用に生成された追加のデータをコード化する段階、とをさらに備える。
【請求項９】
請求項７と請求項８のいずれか一方または両方に記載のデータを記録する、データをコード化する及びデータを比較する方法段階を実行するためのプログラムコード手段を含んでいる計算機プログラムであって、該プログラムが適切な記録用及び位置決め用デバイスと関係している計算機か他の処理手段かの一方もしくは両方上で実行されるときに、該方法段階を実行する計算機プログラム。
【請求項１０】
請求項７と請求項８のいずれか一方または両方に記載のデータを記録する、データをコード化する及びデータを比較する方法段階を実行するための計算機読取り可能媒体上に記憶されたプログラムコード手段を含んでいる計算機プログラムプロダクトであって、該プログラムが適切な記録用及び位置決め用デバイスと関係している計算機か他の処理手段かの一方もしくは両方上で実行されるときに、該方法段階を実行する計算機プログラムプロダクト。
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
身体側面と衣類側面とを有するシャーシと、
第１の位置において前記シャーシの前記衣類側面に接続された吸収性要素と、
を備え、
前記吸収性要素はカバーシートを有し、該カバーシートは、これの第２の部分と第２の位置における前記シャーシの衣類側面のうち少なくとも一方に分離可能に接続された第１の部分を有し、
前記カバーシートの第１及び第２の部分がそれぞれ前記カバーシートの外側面に形成されており、
前記吸収性要素が、少なくとも第１の状態から第２の状態へ膨張可能な吸収性材料を含むようになっており、
前記吸収性材料が前記第２の状態へ膨張したとき、前記カバーシートの前記第１の部分が、前記カバーシートの前記第２の部分と、前記第２の位置の少なくとも一部における前記シャーシの前記衣類側面の少なくとも一つから分離するようになっていることを特徴とする吸収性衣類。
【請求項２】
前記吸収性要素が、前記第１の位置において一次結合により前記シャーシに接続され、前記カバーシートの第１の部分が、前記カバーシートの前記第２の部分と、前記第２の位置における前記シャーシの少なくとも一方に二次結合により分離可能に接続されており、前記二次結合が前記一次結合より弱いことを特徴とする請求項１に記載の吸収性衣類。
【請求項３】
前記吸収材料が第１及び第２の側部を有し、且つ前記吸収材料の第１の側部に隣接して配置された表面シートを更に含むことを特徴とする請求項１に記載の吸収性衣類。
【請求項４】
前記第２の位置が、前記第１の位置から横方向外側寄りに位置付けられていることを特徴とする請求項１に記載の吸収性衣類。
【請求項５】
前記吸収性要素が長手方向の広がりを有し、前記第１の位置が前記吸収性要素の少なくとも一部に沿って長手方向に伸びることを特徴とする請求項１に記載の吸収性衣類。
【請求項６】
前記第２の位置が、前記第１の位置と平行な関係で、前記吸収性要素の少なくとも一部に沿って長手方向に延びることを特徴とする請求項５に記載の吸収性衣類。
【請求項７】
前記吸収性要素が、長手方向の広がりを有し、前記第１の位置が一対の横方向に間隔を置いて配置された、長手方向に平行に延びる一次位置を含み、前記第２の位置が一対の横方向に間隔を置いて配置された二次位置を含むことを特徴とする請求項１に記載の吸収性衣類。
【請求項８】
前記第２の位置が、長手方向に延びる長さと横方向に延びる幅とによって定められる結合領域を含むことを特徴とする請求項１に記載の吸収性衣類。
【請求項９】
前記吸収性要素が対向する端部を含み、該端部のうちの少なくとも１つが前記第１の位置において前記シャーシに接続されていることを特徴とする請求項５に記載の吸収性衣類。
【請求項１０】
前記吸収性要素の前記両端部の少なくとも１つと前記第１の位置における前記シャーシとの間の接続が、前記第２の位置から長手方向に離間しているものであることを特徴とする請求項９に記載の吸収性衣類。
【請求項１１】
前記吸収材料が、対向する側縁を有する第１の折り畳み部と、該第１の折り畳み部の前記対向する側縁にそれぞれ取り付けられ、前記第１の折り畳み部の上に重なる関係で内方に延びる第２及び第３の折り畳み部とを備えることを特徴とする請求項１に記載の吸収性衣類。
【請求項１２】
前記吸収材料が、複数の分離された層を備えることを特徴とする請求項１に記載の吸収性衣類。
【請求項１３】
前記吸収材料が、前記カバーシートに取り付けられていないことを特徴とする請求項１に記載の吸収性衣類。
【請求項１４】
前記シャーシが、表面シートと伸長可能な外側カバーとを備えることを特徴とする請求項１に記載の吸収性衣類。
【請求項１５】
前記シャーシが、前部パネルと後部パネルとを備え、前記吸収性要素が前記前部パネルと前記後部パネルとを接続することを特徴とする請求項１に記載の吸収性衣類。
【請求項１６】
前記表面シートが、前記吸収材料と共に折り込まれていることを特徴とする請求項３に記載の吸収性衣類。
【請求項１７】
前記カバーシートの前記第１の部分が、前記カバーシートの前記第２の部分に分離可能に接続されていることを特徴とする請求項１に記載の吸収性衣類。
【請求項１８】
前記カバーシートの前記第１の部分と第２の部分が、前記カバーシートの上に重なる折り畳み部を備えることを特徴とする請求項１７に記載の吸収性衣類。
【請求項１９】
前記カバーシートの前記第１の部分が、前記シャーシに分離可能に接続されていることを特徴とする請求項１に記載の衣類。
【請求項２０】
前記吸収性要素は、前記第１の位置において前記シャーシの前記衣類側面に固定され、分離可能に接続されているものであることを特徴とする請求項１に記載の吸収性衣類。
【請求項２１】
前記吸収性要素は、前記カバーシート上に配置された外側カバーを備えることを特徴とする請求項１に記載の吸収性衣類。
【請求項２２】
前記外側面は、第１の面を有しており、前記カバーシートは前記第１の面に対向する第２の面を有しており、前記吸収性材料は前記カバーシートの前記第２の面に隣接して配置されていることを特徴とする請求項１に記載の吸収性衣類。
【手続補正書】
【提出日】平成15年10月24日(2003.10.24)
【手続補正１】
【補正対象書類名】特許請求の範囲
【補正対象項目名】全文
【補正方法】変更
【補正の内容】
【特許請求の範囲】
【請求項１】
鉱物のアベイラビリティを高める産物の調製における Ile-Pro-Pro および/または Val-Pro-Pro の使用。
【請求項２】
鉱物のアベイラビリティを高める産物の調製における Ile-Pro-Pro および/または Val-Pro-Pro の高含量を有する産物を用いることを特徴とする、請求項１の使用。
【請求項３】
鉱物のアベイラビリティを高める最終産物の調製における、カゼイン誘導の小分子ペプチドの高含量および高カルシウム含量を有し、乳酸菌でのカゼイン含量出発材料の発酵により調製される産物の、請求項２の使用。
【請求項４】
鉱物のアベイラビリティを高める最終産物の調製における、カゼイン誘導の小分子ペプチドの高含量および高カルシウム含量を有し、Lactobacillus helveticus 株 LBK-16H、DSM 13137 でのカゼイン含量出発材料の発酵によりつくり、選択的にカゼインおよび/または他のミルク産物および/またはラクトースを部分的にまたは完全に除去し、得られたペプチド含有の発酵産物をナノろ過することにより調製される産物の、請求項１の使用。
【請求項５】
鉱物のアベイラビリティを高める産物の調製における、カゼイン誘導の小分子ペプチド Ile-Pro-Pro および/または Val-Pro-Pro 、鉱物、生きている乳酸菌を含有するサワー組成物の使用。
【請求項６】
カゼイン誘導の小分子ペプチドが短鎖ペプチドの混合物を含むことを特徴とする、請求項１〜５のいずれかの産物の使用。
【請求項７】
ペプチドがジ-、トリ-、テトラペプチドであることを特徴とする、請求項６の産物の使用。
【請求項８】
高IIe-Pro-Pro および/または Val-Pro-Pro 含量および高カルシウム含量を用いることを特徴とする、請求項７の使用。
【請求項９】
産物がカルシウムのアベイラビリティを高めることを特徴とする、請求項１〜８のいずれかの使用。
【請求項１０】
鉱物のアベイラビリティを高める方法であって、個体に IIe-Pro-Pro および Val-Pro-Pro およびその混合物よりなる群から選ばれる鉱物のアベイラビリティを高める小分子ペプチドまたは該ペプチドを含有する産物を、所望の効果を達成するのに十分な量で投与することによる方法。
【請求項１１】
骨粗しょう症を予防、軽減、治療する方法であって、その処置を必要とする個体に、IIe-Pro-Pro および Val-Pro-Pro およびその混合物よりなる群から選ばれる鉱物のアベイラビリティを高める小分子ペプチドまたは該ペプチドを含有する産物を、所望の効果を達成するのに十分な量で投与することによる方法。
【請求項１２】
カルシウムのアベイラビリティを高める方法であって、個体に、IIe-Pro-Pro および Val-Pro-Pro およびその混合物よりなる群から選ばれるカゼイン誘導の小分子ペプチドの高含量および高カルシウム含量を有し、Lactobacillus helveticus 株 LBK-16H、DSM 13137 でのカゼイン含量出発材料の発酵により、選択的にカゼインおよび/または他のミルク産物および/またはラクトースを部分的にまたは完全に除去して、調製される産物を、所望の効果を達成するのに十分な量で投与することによる方法。
【請求項１３】
発酵産物をナノろ過にもかけることを特徴とする、請求項１２の方法。
【手続補正書】
【提出日】平成16年10月5日(2004.10.5)
【手続補正１】
【補正対象書類名】特許請求の範囲
【補正対象項目名】全文
【補正方法】変更
【補正の内容】
【特許請求の範囲】
【請求項１】
ＲＮＡ干渉（ＲＮＡｉ）により蛋白質チロシンホスファターゼ−１Ｂ（ＰＴＢ−１Ｂ）ＲＮＡの切断を指示する化学的に合成された二本鎖短干渉核酸（ｓｉＮＡ）分子であって，
ａ）  前記ｓｉＮＡ分子の各鎖は約１９−約２３ヌクレオチドの長さであり；
ｂ）  前記ｓｉＮＡ分子の一方の鎖は，前記ＰＴＢ−１Ｂ  ＲＮＡに対して，ｓｉＮＡ分子がＲＮＡ干渉によりＰＴＢ−１Ｂ  ＲＮＡの切断を指示するのに十分な相補性を有するヌクレオチド配列を含み；および
ｃ）  前記ｓｉＮＡ分子はＲＮＡ干渉を媒介するためにｓｉＮＡ分子中に２’−ヒドロキシ基を有するヌクレオチドの存在を必要としない，
ことを特徴とするｓｉＮＡ分子。
【請求項２】
前記ｓｉＮＡ分子がリボヌクレオチドを含まない，請求項１記載のｓｉＮＡ分子。
【請求項３】
前記ｓｉＮＡ分子がリボヌクレオチドを含む，請求項１記載のｓｉＮＡ分子。
【請求項４】
前記二本鎖ｓｉＮＡ分子の一方の鎖はＰＴＢ−１Ｂ遺伝子のヌクレオチド配列またはその一部に相補的なヌクレオチド配列を含み，前記二本鎖ｓｉＮＡ分子の第２の鎖は前記ＰＴＢ−１Ｂ  ＲＮＡのヌクレオチド配列またはその一部に実質的に類似するヌクレオチド配列を含む，請求項１記載のｓｉＮＡ分子。
【請求項５】
ｓｉＮＡ分子の各鎖は約１９−約２３ヌクレオチドを含み，各鎖は他方の鎖のヌクレオチドに相補的な少なくとも約１９ヌクレオチドを含む，請求項４記載のｓｉＮＡ分子。
【請求項６】
前記ｓｉＮＡ分子はＰＴＢ−１Ｂ遺伝子のヌクレオチド配列またはその一部に相補的なヌクレオチド配列を含むアンチセンス領域を含み，前記ｓｉＮＡはさらにセンス領域を含み，前記センス領域は前記ＰＴＢ−１Ｂ遺伝子のヌクレオチド配列またはその一部に実質的に類似するヌクレオチド配列を含む，請求項１記載のｓｉＮＡ分子。
【請求項７】
前記アンチセンス領域および前記センス領域は約１９−約２３ヌクレオチドを含み，前記アンチセンス領域はセンス領域のヌクレオチドに相補的な少なくとも約１９ヌクレオチドを含む，請求項６記載のｓｉＮＡ分子。
【請求項８】
前記ｓｉＮＡ分子はセンス領域およびアンチセンス領域を含み，前記アンチセンス領域はＰＴＢ−１Ｂ遺伝子によりコードされるＲＮＡのヌクレオチド配列またはその一部に相補的なヌクレオチド配列を含み，および前記センス領域は前記アンチセンス領域に相補的なヌクレオチド配列を含む，請求項１記載のｓｉＮＡ分子。
【請求項９】
前記ｓｉＮＡ分子は２つの別々のオリゴヌクレオチドフラグメントから組み立てられており，一方のフラグメントは前記ｓｉＮＡ分子のセンス領域を含み，第２のフラグメントは前記ｓｉＮＡ分子のアンチセンス領域を含む，請求項６記載のｓｉＮＡ分子。
【請求項１０】
前記センス領域がリンカー分子を介してアンチセンス領域と連結されている，請求項６記載のｓｉＮＡ分子。
【請求項１１】
前記リンカー分子がポリヌクレオチドリンカーである，請求項１０記載のｓｉＮＡ分子。
【請求項１２】
前記リンカー分子が非ヌクレオチドリンカーである，請求項１０記載のｓｉＮＡ分子。
【請求項１３】
センス領域中のピリミジンヌクレオチドが２’−Ｏ−メチルピリミジンヌクレオチドである，請求項６記載のｓｉＮＡ分子。
【請求項１４】
センス領域中のプリンヌクレオチドが２’−デオキシプリンヌクレオチドである，請求項６記載のｓｉＮＡ分子。
【請求項１５】
センス領域中に存在するピリミジンヌクレオチドが２’−デオキシ−２’−フルオロピリミジンヌクレオチドである，請求項６記載のｓｉＮＡ分子。
【請求項１６】
前記センス領域を含むフラグメントは，前記センス領域を含むフラグメントの５’末端，３’末端，または５’末端および３’末端の両方に末端キャップ成分を含む，請求項９記載のｓｉＮＡ分子。
【請求項１７】
前記末端キャップ成分が反転デオキシ無塩基成分である，請求項１６記載のｓｉＮＡ分子。
【請求項１８】
前記アンチセンス領域のピリミジンヌクレオチドが２’−デオキシ−２’−フルオロピリミジンヌクレオチドである，請求項６記載のｓｉＮＡ分子。
【請求項１９】
前記アンチセンス領域のプリンヌクレオチドが２’−Ｏ−メチルプリンヌクレオチドである，請求項６記載のｓｉＮＡ分子。
【請求項２０】
前記アンチセンス領域中に存在するプリンヌクレオチドが２’−デオキシ−プリンヌクレオチドを含む，請求項６記載のｓｉＮＡ分子。
【請求項２１】
前記アンチセンス領域が前記アンチセンス領域の３’末端にホスホロチオエートヌクレオチド間結合を含む，請求項１８記載のｓｉＮＡ分子。
【請求項２２】
前記アンチセンス領域が前記アンチセンス領域の３’末端にグリセリル修飾を含む，請求項６記載のｓｉＮＡ分子。
【請求項２３】
前記ｓｉＮＡ分子の２つのフラグメントのそれぞれが２１ヌクレオチドを含む，請求項９記載のｓｉＮＡ分子。
【請求項２４】
ｓｉＮＡ分子の各フラグメントの約１９ヌクレオチドはｓｉＮＡ分子の他方のフラグメントの相補的ヌクレオチドと塩基対形成しており，ｓｉＮＡ分子の各フラグメントの少なくとも２つの３’末端ヌクレオチドはｓｉＮＡ分子の他方のフラグメントのヌクレオチドと塩基対形成していない，請求項２３記載のｓｉＮＡ分子。
【請求項２５】
ｓｉＮＡ分子の各フラグメントの２つの３’末端ヌクレオチドのそれぞれが２’−デオキシ−ピリミジンである，請求項２４記載のｓｉＮＡ分子。
【請求項２６】
前記２’−デオキシ−ピリミジンが２’−デオキシ−チミジンである，請求項２５記載のｓｉＮＡ分子。
【請求項２７】
ｓｉＮＡ分子の各フラグメントの２１ヌクレオチドすべてがｓｉＮＡ分子の他方のフラグメントの相補的ヌクレオチドと塩基対形成している，請求項２３記載のｓｉＮＡ分子。
【請求項２８】
アンチセンス領域の約１９ヌクレオチドがＰＴＢ−１Ｂ遺伝子によりコードされるＲＮＡのヌクレオチド配列またはその一部と塩基対形成している，請求項２３記載のｓｉＮＡ分子。
【請求項２９】
アンチセンス領域の２１ヌクレオチドがＰＴＢ−１Ｂ遺伝子によりコードされるＲＮＡのヌクレオチド配列またはその一部と塩基対形成している，請求項２３記載のｓｉＮＡ分子。
【請求項３０】
前記アンチセンス領域を含むフラグメントの５’末端が任意にリン酸基を含む，請求項９記載のｓｉＮＡ分子。
【請求項３１】
許容しうる担体または希釈剤中に請求項１記載のｓｉＮＡ分子を含む医薬組成物。
【手続補正書】
【提出日】平成16年5月19日(2004.5.19)
【手続補正１】
【補正対象書類名】特許請求の範囲
【補正対象項目名】全文
【補正方法】変更
【補正の内容】
【特許請求の範囲】
【請求項１】
ＲＮＡ干渉（ＲＮＡｉ）によりベータ−セクレターゼ（ＢＡＣＥ）ＲＮＡの切断を指示する化学的に合成された二本鎖短干渉核酸（ｓｉＮＡ）分子であって，
ａ．前記ｓｉＮＡ分子の各鎖は約１９−約２３ヌクレオチドの長さであり；
ｂ．前記ｓｉＮＡ分子の一方の鎖は前記ＢＡＣＥ  ＲＮＡに対してｓｉＮＡ分子がＲＮＡ干渉によりＢＡＣＥ  ＲＮＡの切断を指示するのに十分な相補性を有するヌクレオチド配列を含み；および
ｃ．前記ｓｉＮＡ分子は少なくとも１つの化学的に修飾されたヌクレオチドまたは非ヌクレオチドを含む，
ことを特徴とするｓｉＮＡ分子。
【請求項２】
前記ｓｉＮＡ分子がリボヌクレオチドを含まない，請求項１記載のｓｉＮＡ分子。
【請求項３】
前記ｓｉＮＡ分子が１またはそれ以上のリボヌクレオチドを含む，請求項１記載のｓｉＮＡ分子。
【請求項４】
前記化学的に修飾されたヌクレオチドが２’−デオキシヌクレオチドを含む，請求項１記載のｓｉＮＡ分子。
【請求項５】
前記化学的に修飾されたヌクレオチドが２’−デオキシ−２’−フルオロヌクレオチドを含む，請求項１記載のｓｉＮＡ分子。
【請求項６】
前記化学的に修飾されたヌクレオチドが２’−Ｏ−メチルヌクレオチドを含む，請求項１記載のｓｉＮＡ分子。
【請求項７】
前記化学的に修飾されたヌクレオチドがホスホロチオエートヌクレオチド間結合を含む，請求項１記載のｓｉＮＡ分子。
【請求項８】
前記非ヌクレオチドが無塩基成分を含む，請求項１記載のｓｉＮＡ分子。
【請求項９】
前記無塩基成分が反転デオキシ無塩基成分を含む，請求項８記載のｓｉＮＡ分子。
【請求項１０】
前記非ヌクレオチドがグリセリル成分を含む，請求項１記載のｓｉＮＡ分子。
【請求項１１】
前記二本鎖ｓｉＮＡ分子の一方の鎖はＢＡＣＥ遺伝子またはその一部のヌクレオチド配列に相補的なヌクレオチド配列を含み，前記二本鎖ｓｉＮＡ分子の第２の鎖は前記ＢＡＣＥ
ＲＮＡのヌクレオチド配列またはその一部と実質的に類似するヌクレオチド配列を含む，請求項１記載のｓｉＮＡ分子。
【請求項１２】
ｓｉＮＡ分子の各鎖は約１９−約２３ヌクレオチドを含み，各鎖は他方の鎖のヌクレオチドに相補的な少なくとも約１９ヌクレオチドを含む，請求項１１記載のｓｉＮＡ分子。
【請求項１３】
前記ｓｉＮＡ分子はＢＡＣＥ遺伝子またはその一部のヌクレオチド配列に相補的なヌクレオチド配列を含むアンチセンス領域を含み，前記ｓｉＮＡはさらにセンス領域を含み，前記センス領域は前記ＢＡＣＥ遺伝子またはその一部のヌクレオチド配列と実質的に類似するヌクレオチド配列を含む，請求項１記載のｓｉＮＡ分子。
【請求項１４】
前記アンチセンス領域および前記センス領域は約１９−約２３ヌクレオチドを含み，前記アンチセンス領域はセンス領域のヌクレオチドに相補的な少なくとも約１９ヌクレオチドを含む，請求項１３記載のｓｉＮＡ分子。
【請求項１５】
前記ｓｉＮＡ分子はセンス領域およびアンチセンス領域を含み，前記アンチセンス領域はＢＡＣＥ遺伝子によりコードされるＲＮＡのヌクレオチド配列に相補的なヌクレオチド配列またはその一部を含み，および前記センス領域は前記アンチセンス領域に相補的なヌクレオチド配列を含む，請求項１記載のｓｉＮＡ分子。
【請求項１６】
前記ｓｉＮＡ分子が２つの別々のオリゴヌクレオチドフラグメントから組み立てられ，一方のフラグメントは前記ｓｉＮＡ分子のセンス領域を含み，第２のフラグメントは前記ｓｉＮＡ分子のアンチセンス領域を含む，請求項１３記載のｓｉＮＡ分子。
【請求項１７】
前記センス領域がリンカー分子を介してアンチセンス領域と連結されている，請求項１３記載のｓｉＮＡ分子。
【請求項１８】
前記リンカー分子がポリヌクレオチドリンカーである，請求項１７記載のｓｉＮＡ分子。
【請求項１９】
前記リンカー分子が非ヌクレオチドリンカーである，請求項１７記載のｓｉＮＡ分子。
【請求項２０】
センス領域中のピリミジンヌクレオチドが２’−Ｏ−メチルピリミジンヌクレオチドである，請求項１３記載のｓｉＮＡ分子。
【請求項２１】
センス領域中のプリンヌクレオチドが２’−デオキシプリンヌクレオチドである，請求項１３記載のｓｉＮＡ分子。
【請求項２２】
センス領域中に存在するピリミジンヌクレオチドが２’−デオキシ−２’−フルオロピリミジンヌクレオチドである，請求項１３記載のｓｉＮＡ分子。
【請求項２３】
前記センス領域を含むフラグメントが，前記センス領域を含むフラグメントの５’末端，３’末端，または５’末端および３’末端の両方に末端キャップ成分を含む、請求項１６記載のｓｉＮＡ分子。
【請求項２４】
前記末端キャップ成分が反転デオキシ無塩基成分である，請求項２３記載のｓｉＮＡ分子。
【請求項２５】
前記アンチセンス領域のピリミジンヌクレオチドが２’−デオキシ−２’−フルオロピリミジンヌクレオチドである，請求項１３記載のｓｉＮＡ分子。
【請求項２６】
前記アンチセンス領域のプリンヌクレオチドが２’−Ｏ−メチルプリンヌクレオチドである，請求項１３記載のｓｉＮＡ分子。
【請求項２７】
前記アンチセンス領域中に存在するプリンヌクレオチドが２’−デオキシ−プリンヌクレオチドを含む，請求項１３記載のｓｉＮＡ分子。
【請求項２８】
前記アンチセンス領域が前記アンチセンス領域の３’末端にホスホロチオエートヌクレオチド間結合を含む，請求項１３記載のｓｉＮＡ分子。
【請求項２９】
前記アンチセンス領域が前記アンチセンス領域の３’末端にグリセリル修飾を含む，請求項１３記載のｓｉＮＡ分子。
【請求項３０】
前記ｓｉＮＡ分子の２つのフラグメントのそれぞれが２１ヌクレオチドを含む，請求項１６記載のｓｉＮＡ分子。
【請求項３１】
ｓｉＮＡ分子の各フラグメントの約１９ヌクレオチドがｓｉＮＡ分子の他方のフラグメントの相補的ヌクレオチドと塩基対形成しており，ｓｉＮＡ分子の各フラグメントの少なくとも２つの３’末端ヌクレオチドがｓｉＮＡ分子の他方のフラグメントのヌクレオチドと塩基対していない，請求項３０記載のｓｉＮＡ分子。
【請求項３２】
ｓｉＮＡ分子の各フラグメントの２つの３’末端ヌクレオチドが２’−デオキシ−ピリミジンである，請求項３１記載のｓｉＮＡ分子。
【請求項３３】
前記２’−デオキシ−ピリミジンが２’−デオキシ−チミジンである，請求項３２記載のｓｉＮＡ分子。
【請求項３４】
ｓｉＮＡ分子の各フラグメントの２１ヌクレオチドすべてがｓｉＮＡ分子の他方のフラグメントの相補的ヌクレオチドと塩基対形成している，請求項３０記載のｓｉＮＡ分子。
【請求項３５】
アンチセンス領域の約１９ヌクレオチドがＢＡＣＥ遺伝子またはその一部によりコードされるＲＮＡのヌクレオチド配列と塩基対形成している，請求項３０記載のｓｉＮＡ分子。
【請求項３６】
アンチセンス領域の２１ヌクレオチドがＢＡＣＥ遺伝子またはその一部によりコードされるのＲＮＡヌクレオチド配列と塩基対形成している，請求項３０記載のｓｉＮＡ分子。
【請求項３７】
前記アンチセンス領域を含むフラグメントの５’末端が任意にリン酸基を含んでいてもよい，請求項１６記載のｓｉＮＡ分子。
【請求項３８】
請求項１記載のｓｉＮＡ分子を許容可能な担体または希釈剤中に含む医薬組成物。
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
活性型のSTAT3を含む修飾幹細胞。
【請求項２】
修飾されていない親細胞の多能性を維持しながら、生体外（培養）（in vitro）における増殖能力が向上した請求項１の修飾幹細胞。
【請求項３】
幹細胞が造血幹細胞である請求項１又は２の修飾幹細胞。
【請求項４】
幹細胞が造血細胞のみならず、非造血細胞にも分化することができる多能性を有する幹細胞である請求項１〜３の何れか一の修飾幹細胞。
【請求項５】
以下の何れか一から選ばれる請求項１〜４の何れか一の修飾幹細胞：
１）哺乳類幹細胞、
２）ヒト幹細胞、又は
３）臍帯血から採取される幹細胞。
【請求項６】
STAT3がSTAT3-Cである請求項１〜５の何れか一の修飾幹細胞。
【請求項７】
構成的に活性化されたSTAT3であるタンパク質生成物がタンパク質導入により細胞内に送達される請求項１〜５の何れか一の修飾幹細胞。
【請求項８】
活性化されたSTAT3遺伝子を細胞内に形質導入することを含む請求項１〜６の何れか一の修飾幹細胞を作製する方法。
【請求項９】
STAT3を細胞内に送達することを含む請求項１〜７の何れか一の修飾幹細胞を作製する方法。
【請求項１０】
請求項１〜７の何れか一の修飾幹細胞を増殖させることを含む幹細胞集団を増大させる方法。
【請求項１１】
細胞集団が以下の何れか一から選ばれる請求項１０の方法：
１）細胞集団が生体外（ex vivo）である、
２）細胞集団が生体内（in vivo）である、
３）細胞集団が生体外（培養）（in vitro）である。
【請求項１２】
幹細胞をSTAT3の活性を増強させる化学物質と接触させることを含む請求項１０又は１１の方法。
【請求項１３】
化学物質がSTAT3を二量化させる化合物である請求項１２の方法。
【請求項１４】
活性化されたSTAT3を発現する細胞を幹細胞集団と共培養することを含む請求項１０〜１３の何れか一の方法。
【請求項１５】
請求項１〜７の何れか一の修飾幹細胞を必要とする対象に、該細胞を投与することを含む、該細胞の以下の何れか一から選ばれる用途：
１）対象における移植後の生着を速める、
２）対象において組織を再生する、
３）骨髄細胞を損失した患者の骨髄を回復させる。